(57)【要約】
【課題】　記念本製作の注文後に、顧客から問い合わせがあった場合や、記念本の印刷会社から問い合わせがあった場合などにおいて、注文用紙の検索を短時間に行うことによって迅速な対応を可能とするとともに、写真の取り違えを防止することが可能な記念本製作用の注文用紙と写真貼付用シールとの組合せを提供する。
【解決手段】　記念本製作用の注文用紙１０と写真貼付用シール２２との組合せであって、顧客又は注文を識別する管理番号１９を表記した記念本製作用の注文用紙１０と、記念本に挿入する写真に貼付する写真貼付用シール２２であって、注文用紙１０に表記した管理番号１９と同一の管理番号１９を表記した写真貼付用シール２２とを備えた。
【選択図】　　図２
0003100461.tif 000002
【実用新案登録請求の範囲】
【請求項１】
　顧客又は注文を識別する管理番号を表記した記念本製作用の注文用紙と、
　前記記念本に挿入する写真に貼付する写真貼付用シールであって、注文用紙に表記した管理番号と同一の管理番号を表記した写真貼付用シールと、
　から構成されることを特徴とする記念本製作用の注文用紙と写真貼付用シールとの組合せ。
【請求項２】
　顧客又は注文を識別する管理番号を表記するとともに、記念本に挿入する写真をどの頁のどこに配置するのかを把握するためのレイアウト見本と、当該レイアウト見本中に挿入された写真に関連する文章を記入する文章欄とを設けた記念本製作用の注文用紙と、
　前記記念本に挿入する写真に貼付する写真貼付用シールであって、注文用紙に表記した管理番号と同一の管理番号を表記した写真貼付用シールと、
　から構成されることを特徴とする記念本製作用の注文用紙と写真貼付用シールとの組合せ。
【請求項３】
　顧客又は注文を識別するとともに、記念本における写真を挿入する位置を識別する管理番号を表記した記念本製作用の注文用紙と、
　前記記念本に挿入する写真に貼付する写真貼付用シールであって、注文用紙に表記した管理番号と同一の管理番号を表記した写真貼付用シールと、
　から構成されることを特徴とする記念本製作用の注文用紙と写真貼付用シールとの組合せ。
【請求項４】
　顧客又は注文を識別する管理番号を表記した記念本製作用の注文用紙と、
　前記記念本に挿入する写真に貼付する写真貼付用シールであって、注文用紙に表記した管理番号と同一の管理番号を表記した写真貼付用シールと、
　記念本に挿入する写真を保管する透明の写真保管袋と、
　から構成されることを特徴とする記念本製作用の注文用紙と写真貼付用シールと写真保管袋との組合せ。
【請求項５】
　顧客又は注文を識別するとともに、記念本における写真を挿入する位置を識別する管理番号を表記した記念本製作用の注文用紙と、
　前記記念本に挿入する写真に貼付する写真貼付用シールであって、注文用紙に表記した管理番号と同一の管理番号を表記した写真貼付用シールと、
　記念本に挿入する写真を保管する透明の写真保管袋と、
　から構成されることを特徴とする記念本製作用の注文用紙と写真貼付用シールと写真保管袋との組合せ。
【考案の詳細な説明】
【技術分野】
【０００１】
　本考案は、記念本製作用の注文用紙と写真貼付用シールの組合せに関するものである。
【背景技術】
【０００２】
　従来の注文用紙には、顧客を特定する情報として顧客の住所及び氏名のみが記載されるようになっており、封筒と返信用封筒とが別々に存在していた。
また、従来の注文では、注文用紙と写真とを関連付ける管理を行っていなかった。
また、従来の注文用紙には、顧客や注文を識別する管理番号が表記された写真貼付用シールが添付されていなかった。
また、従来の注文では、注文用紙と写真とを入れる袋は非透明の封筒であった。
　また、従来の注文では、注文用紙と写真とを入れる封筒には管理番号が表記されていなかった。
【０００３】
　また、従来の画像を用いたアルバム注文装置及び方法として、被写体像データ及び注文入力プログラムを読み取る読み取り手段、前記読み取り手段によって読み取られた注文入力プログラムに基づいて注文入力画像を表示画面に表示するように表示装置を制御する表示制御手段、及び前記読み取り手段によって読み取られた被写体像データから被写体像を選択する選択手段、並びに、前記選択手段によって選択された被写体像を含むアルバム作製のためのアルバム作製注文入力データを格納した注文ファイルを生成する注文ファイル生成手段を備えたアルバム注文装置と、上記アルバム生成装置の注文ファイル生成手段によって生成された注文ファイルに従って前期被写体像データによって表される被写体像を含むアルバムを生成するアルバム生成手段を備えたアルバム生成システムを用いるものが知られている。
【０００４】
　上記アルバム注文装置及び方法を用いて、アルバム作成依頼者がパーソナル・コンピュータに電子化した被写体像データを入力してアルバムソフトウエアに従い作成されたアルバムの注文ファイルをラボラトリに送信すると、注文ファイルに従い写真集としてのアルバムと電子的なアルバム・データが格納されたＣＤが２枚作成され、写真集１冊とアルバムＣＤの１枚が第一ユーザーに渡され、残り１枚のアルバムＣＤは、サーバへの画像データのアップロード用に用いることが可能であるとされている（例えば、特許文献１参照。）。
【０００５】
　従来、イベント会場や行楽地において、簡単な方法でオリジナルの絵本を製作することのできるオリジナル絵本の製作方法が知られている。このオリジナル絵本の製作方法では、あらかじめ物語中の特定の登場人物とその登場人物の名前をブランク部分にした絵本を準備している。絵本に写真をレイアウトする場合には、デジタルカメラにより撮影して、コンピュータにより処理された注文者の人物画像をその絵本のブランクの登場人物の部分にレイアウトしてプリントし、登場人物の名前の部分のみに注文者の名前を挿入することで、世界に一冊しか存在しない絵本を安価に製作することが可能であるとされている（例えば、特許文献２参照。）。
【０００６】
　また、絵本作家による既存の絵本中の登場人物の名前や文章を子供の名前等に置き換えて製作した絵本を、子供の誕生日等の贈り物として贈ることも知られている（例えば、非特許文献１参照。）。
【特許文献１】特開２００１−３１２５５２号公報　（第１−２ページ、第１図）
【特許文献２】特開平１１−１２８５５３号公報　（第１−４ページ、第１図−第３図）
【非特許文献１】有限会社オフィス　ティ・ワーク”愛と夢の贈り物　オリジナル絵本”、平成１５年６月１６日、インターネット＜ＵＲＬ：http://www.otw.jp/sample/my_baby.htm＞
【考案の開示】
【考案が解決しようとする課題】
【０００７】
　従来の注文用紙には、顧客を特定する情報として住所と氏名しか記載されていなかったので、後日顧客から問い合わせがあった場合や、印刷会社から問い合わせがあった場合などにおいて、注文用紙の検索に時間がかかったため、迅速な対応ができないという不具合が生じていた。
【０００８】
　また、従来の注文用紙では、注文用紙と写真とを関連付ける管理を特別に行っていなかった。従って、一旦注文用紙と写真とが別々になってしまった場合には、誰が申し込んだ写真であるか特定することができなくなる。従って、顧客に問い合わせて、注文用紙と写真とを再度関連付ける作業が必要であった。
【０００９】
　また、従来の写真を入れる袋は非透明であったので、封筒の外観からでは、誰が申し込んだ写真が入っているのか、また、どこに位置する写真が入っているのか判断できないという不具合が生じていた。従って、アルバム作成の際には、一旦封筒の中の写真を出して、写真を確認しなければならないという不具合が生じていた。
【００１０】
　また、従来の注文用紙には、写真に貼付するシールが添付されていなかったので、顧客と写真と注文用紙とを関連付けた状態で注文することができなかった。従って、注文した後に、一旦注文用紙と写真とが別々になってしまった場合には、誰が申し込んだ写真であるかを特定することができなくなり、顧客に問い合わせて、注文用紙と写真とを再度関連付ける作業が必要であった。
【００１１】
　特許文献１に記載のアルバム注文装置及び方法では、アルバム作成依頼者がパーソナル・コンピュータに電子化した被写体像データを記憶させ、アルバムソフトウエアに従い作成したアルバムの注文ファイルをラボラトリに送信すると、注文ファイルに従い写真集としてのアルバムと電子的なアルバム・データが格納されたＣＤが２枚作成される。
【００１２】
　しかし、パーソナル・コンピュータを所有していない者、あるいは、パーソナル・コンピュータの操作に不慣れな主婦や高齢者にとっては、画像を電子化し、パーソナル・コンピュータ内で画像データを管理し、それを送信することは簡単にできる作業ではない。そのため、写真集としてのアルバムを作成する前段階として、パーソナル・コンピュータを介して画像を電子化する際の取扱いは、注文者自身による画像データの準備、注文ファイルの作成並びにその編集等に膨大な時間を要するため、だれでも手軽に注文できるものではなく、実生活における利用可能性及び即効性が著しく乏しいものであった。
【００１３】
　また、特許文献１に記載のアルバム注文装置及び方法では、たとえパーソナル・コンピュータに精通している者がアルバム注文装置及び方法を利用したとしても、最終的に仕上がるアルバムは羅列した写真を分類ごとに整理したものしか得られないために、注文者によって創作された物語世界の登場人物に扮した被写体自身が、物語性を帯びて製本された記念本を手にすることはできなかった。
【００１４】
　特許文献２に記載のオリジナル絵本の製作方法により作成された絵本では、イベント会場や行楽地において、あらかじめ物語中の特定の登場人物やその登場人物の名前をブランクとした絵本が準備されている。デジタルカメラにより撮影し、コンピュータにより処理された人物画像をブランクの登場人物の部分にレイアウトしてプリントし、登場人物の名前の部分のみに注文者の所望の名前を挿入することで、世界に一冊しか存在しない絵本を安価に製作することが可能であるとされている。
【００１５】
　しかし、あらかじめ絵本製作に使用される元となる物語は、子供向けの著名人気キャラクターの絵本を使用しているため、登場キャラクターやせりふが固定概念化されており、絵本中のストーリー展開において世界に一冊しか存在しないオリジナルのものではなかった。そのため、登場人物となる被写体と、絵本中の物語性とは日常生活において全く関係のない著名な人気キャラクターが主なものであった。従って、子供向けの遊びを目的とした絵本にすぎず、自分史、我が子への記録や追想アルバムとしての機能がないだけではなく、その他、子供の成長を祝う記念、大人向けのものとして結婚式の贈り物、祖父母向けのもの、あるいは子供の絵画の作品を編集した画集等として利用範囲を広げ、世界に一冊しか存在しないオリジナルの記念本を提供することができないという不具合が生じていた。
【００１６】
　また、特許文献２に記載のオリジナル絵本の製作方法では、あらかじめ絵本のブランクが設定されているだけで、絵本の中のブランクの場所と注文者の指定写真とを関連付けて、どの頁にどの写真を配置するのか、及び配置された写真に記載する文面事項をどこに配置するのかを把握することができなかったので、イベント会場や行楽地において異なる顧客を混同したり、指定写真を取り違えてしまった場合には顧客に再度確認し、再度関連付ける作業を要していたことが想定される。そのため、顧客から絵本の製作を注文されたとしても、的確かつ作業効率の良い記念本の作成をすることができないという不具合があった。
【００１７】
　また、非特許文献１に記載のオリジナル絵本では、例えば出産を記念した赤ちゃん誕生のすべてを記録した絵本とされ、赤ちゃんの名前やメッセージ等を予め設定された絵本に挿入することができる。しかし、オリジナル絵本製作に使用される元となる物語は、あらかじめ絵本作家によって製作された絵本を使用しているため、登場キャラクター等が既成概念化されており、自己の写真は一切挿入することができない。従って、自分史、我が子への記録や追想アルバムとしての実感に著しく欠けていた。
【００１８】
　高齢化、少子化社会の現況において、パーソナル・コンピュータを所有していない、またはパーソナル・コンピュータの操作に不慣れな高齢者や主婦あるいは幼児期の子供が、かけがいのない子供、父母や祖父母等のために持ち前の写真を利用して、手軽で簡単にかつ安価に、我が子や家族への記録や追想アルバムとして実感のこもった付加価値の高いオリジナル記念本を贈り物として贈るニーズが高いのが現状である。
【００１９】
　そこで本考案は上記従来の状況に鑑み、記念本製作の注文後に、顧客から問い合わせがあった場合や、記念本の印刷会社から問い合わせがあった場合などにおいて、注文用紙の検索を短時間に行うことによって、迅速な対応を可能とする注文用紙を提供することを目的としている。
【００２０】
　また本考案は、記念本製作の注文後に注文用紙と写真とが別々になってしまった場合であっても、誰が申し込んだ写真であるかや、対応する注文用紙を容易に特定することが可能なシールを提供することを目的としている。
【００２１】
　また本考案は、袋の外観からでも、どの顧客の写真が入っているのか、また、記念本中のどの頁のどこの位置に配置する写真が入っているのかを判断可能な透明な写真用袋を提供することを目的としている。
【００２２】
　また本考案は、顧客である注文者が、注文用紙と写真を関連付けた状態で注文することを可能とするために、記念本作製用の注文用紙と写真貼付用シールとの組合せを提供することを目的としている。
【００２３】
　また本考案は、パーソナル・コンピュータを介した注文ファイルではなく、手元に届けられた注文用紙を用いて、注文者が簡単に注文方法や作成手順を理解することができる記念本製作用の注文用紙と写真貼付用シールの組合せを提供することを目的としている。
【００２４】
　また本考案は、予め製作者が特定の管理番号を表記した記念本製作用の注文用紙と写真貼付用シールとの組合せを提供しているため、顧客を記念本製作用の注文用紙に表記された管理番号によって特定することができ、製作者が顧客間同士の混同を未然に防止することが可能な記念本製作用の注文用紙を提供することを目的としている。
【００２５】
　また本考案は、注文用紙のレイアウト見本と写真貼付用シールのそれぞれに配置情報を表記したことで、注文者がレイアウト見本に従って、配置個所を選定した写真の表面あるいは裏面に写真貼付用シールを貼付することによって、製作過程において製作者が顧客の指定した写真がどの頁に配置される写真であったのかという取り違いを未然に防止することが可能な記念本製作用の注文用紙と写真貼付用シールとの組合せを提供することを目的としている。
【００２６】
　また本考案は、記念本製作用の注文用紙と写真貼付用シールのそれぞれに管理番号を表記したことで、指定された写真がどの顧客のどのタイプの記念本の注文であったのかという混同を未然に防止することが可能な記念本製作用の注文用紙と写真貼付用シールとの組合せを提供することを目的としている。
【００２７】
　また本考案は、注文者が注文の際に、注文用紙に設けられているレイアウト見本の配置情報に従い、どの頁にどの写真を配置するのか、及び配置された写真に関連する文面事項を記入することができる記念本製作用の注文用紙を提供することを目的としている。
【００２８】
　また本考案は、製作者側において、容易に顧客管理や月毎の注文数の集計及び照合作業をすることができ、注文から、原稿の入力、写真製版、印刷及び納品にいたる全ての作業を管理番号で管理することが可能で、的確かつ作業効率の良い記念本の作成を実現することが可能な記念本製作用注文用紙を提供することを目的としている。
【００２９】
　製作者のもとに届けられた写真は、製作者が記念本製作中に内容物を確認する際や仕上り後に絵本を顧客に納品する際に、記念本の中の写真やその表紙写真と返却写真の照合作業行う。本考案は、この照合作業において手間取ることなく顧客と顧客への返却写真の取り違えを防止することが可能な記念本製作用の透明な袋を提供することを目的としている。
【課題を解決するための手段】
【００３０】
　上記課題を解決するため、請求項１に係る記念本製作用の注文用紙と写真貼付用シールとの組合せは、顧客又は注文を識別する管理番号を表記した記念本製作用の注文用紙と、記念本に挿入する写真に貼付する写真貼付用シールであって注文用紙に表記した管理番号と同一の管理番号を表記した写真貼付用シールとを備えたことを特徴とする。
【００３１】
　また上記課題を解決するため、請求項２に係る記念本製作用の注文用紙と写真貼付用シールとの組合せは、顧客又は注文を識別する管理番号を表記するとともに記念本に挿入する写真をどの頁のどこに配置するのかを把握するためのレイアウト見本と当該レイアウト見本中に挿入された写真に関連する文章を記入する文章欄とを設けた記念本製作用の注文用紙と、記念本に挿入する写真に貼付する写真貼付用シールであって注文用紙に表記した管理番号と同一の管理番号を表記した写真貼付用シールとから構成されることを特徴とする。
【００３２】
　また上記課題を解決するため、請求項３に係る記念本製作用の注文用紙と写真貼付用シールとの組合せは、顧客又は注文を識別するとともに記念本における写真を挿入する位置を識別する管理番号を表記した記念本製作用の注文用紙と、記念本に挿入する写真に貼付する写真貼付用シールであって注文用紙に表記した管理番号と同一の管理番号を表記した写真貼付用シールとから構成されることを特徴とする。
【００３３】
　また上記課題を解決するため、請求項４及び請求項５に係る考案は、記念本製作用の注文用紙と写真貼付用シールとの組合せにおいて、記念本に挿入する写真を保管する透明の写真保管袋を添付するようにしたことを特徴とする。
【考案の効果】
【００３４】
　本考案に係る記念本製作用の注文用紙と写真貼付用シールの組合せによれば、顧客又は注文を識別する管理番号を表記した記念本製作用の注文用紙と写真貼付用シールを備えたので、製作者が、顧客又は注文を的確に管理し、顧客間の混同や、顧客がどの注文をしたのかという混同や取り違えを未然に防止することが可能となる。また、顧客による注文から、原稿の入力、写真製版、印刷及び納品にいたる全ての作業を当該管理番号によって管理することで、顧客や印刷会社からの問合せにも迅速に検索して対応することができ、的確かつ作業効率良く記念本を作成することが可能となる。
【００３５】
　また、本考案に係る注文用紙によれば、製作者側においても、注文用紙に記載された管理番号に基づいて容易に顧客管理や月毎の注文数の集計及び照合作業をすることができ、注文から原稿の入力、写真製版、印刷及び納品にいたる全ての作業を管理番号で管理することができるので、正確かつ作業効率の良い記念本の作成を実現することが可能となる。
【００３６】
　また他の考案の形態によれば、記念本製作用の注文用紙に、記念本に挿入する写真をどの頁のどこに配置するのかを把握するためのレイアウト見本と、当該レイアウト見本中に挿入された写真に関連する文章を記入する文章欄とを備えたので、注文者はレイアウト見本に従い、記念本に挿入する写真をどの頁のどこに配置するのかを把握しながら、配置個所を決定した写真に関連する文章を当該文章欄に設けられたマス目に従って記入することが可能となる。
【００３７】
　これにより注文者は、注文者が選定した写真に基づいた独創的なストーリー展開を反映した記念本を容易に注文することが可能となる。また、注文用紙による発注が可能なため、発注に際してパーソナル・コンピュータを介した電子画像データの作成や注文ファイルの作成作業が不要となり、パーソナル・コンピュータを所有していない者、あるいは、パーソナル・コンピュータの操作に不慣れな主婦、高齢者や子供などでも、子供や孫の誕生、父母、敬老の日等の記念本のレイアウトを作成することが可能となる。なお、記念本の中には、記念本の主人公となる被写体と日常生活において深い関わりのある家族や祖父母等の写真等を挿入することができるため、注文者は製作過程を楽しみながら容易に記念本の注文をすることができる、一方記念本を受け取った者は、自分史、自分の誕生記録や追想アルバムとして愛着や注文者の心意気を実感することのできる世界に一冊しか存在しないオリジナルの記念本を手にすることが可能となる。
【００３８】
　また他の考案の形態によれば、注文用紙と写真添付用シールに、写真を挿入する位置を識別する情報を包括した管理番号を表記したので、注文者は、容易に注文者と写真の配置と注文用紙とを関連付けた状態で注文することが可能となる、一方製作者は、顧客間の混同を防止することが可能となるだけではなく、記念本のどの頁のどの位置にどの写真を挿入するのかを容易に知ることが可能となるとともに、注文者が指定した写真の配置個所の混同や取り違えを未然に防止することが可能となる。これによって製作者等は、注文用紙と写真とが別々になってしまった場合であっても、注文者や印刷会社に問い合わせて注文用紙と写真とを再度関連付ける作業を要せずに、どこに配置する写真であるかを特定することができ、正確かつ作業効率良く記念本の作成を実現することが可能となる。
【００３９】
　また、本考案に係る記念本製作用の注文用紙と写真貼付用シールとの組合せによれば、注文者が記念本に記載する内容を自由に設定できるので、子供のみを対象としたもののほかに、自分史、我が子への記録、追想アルバム、子供の誕生、ウエデイング用、父母の日、祖父母の還暦祝い、クリスマス、送別会、思い出の旅の記念や趣味用の記念カードコレクションあるいは子供の絵画作品を編集した画集等に応用して注文した場合であっても、注文用紙と写真貼付用シールの両物品に管理番号を表記したことによって、製作者側も指定された写真がどの注文者のどのタイプの記念本の注文であったのかという混同や取り違えを未然に防止することが可能となる。
【００４０】
　また、本考案に係る記念本製作用の注文用紙と写真貼付用シールと写真との組合せによれば、写真を入れる透明の袋を添付するようにしたので、袋の外から見ただけでも誰が申し込んだ写真が入っているのか、また、どこに配置する写真が入っているのかを判断することが可能となる。したがって、一旦袋の中の写真を取り出して写真を確認する作業が不要となる。
【００４１】
　また、製作者が記念本製作中に内容物を確認する際や仕上り後に絵本を顧客に納品する際に、記念本の中の写真やその表紙写真と、返却写真との照合作業が容易となる。このように注文者への返却写真の取り違いを未然に防止して、作業効率良く正確に記念本の納品を実現することが可能となる。
【考案を実施するための最良の形態】
【００４２】
　以下、本考案に係る記念本製作用の注文用紙と写真貼付用シールの組合せについて図面を用いて説明する。
図１は、本考案に係る記念本製作用の注文用紙の一例を示す図である。
図１に示すように、１枚のＡ４〜Ａ３サイズの注文用紙１０は、折りたたみ可能な表面と裏面とから構成されている。
【００４３】
　図２は、本考案に係る記念本製作用の注文用紙の表面を示す図である。注文用紙１０の２箇所に設けられている山折り線と谷折り線は、注文用紙１０の縦方向に９８ｍｍの間隔で設けられており、注文用紙１０の表面の第１面（図２の符号１）と、第２面（図２の符号２）と、第３面（図２の符号３）との合計３面の境界を形成している。
【００４４】
　同図に示す注文用紙１０には、注文方法の手順及び管理番号１９を表記した第１面を設けている。また注文用紙１０の表面には、写真の配置情報１８と、当該配置情報１８に従ってどの頁にどの写真を配置するのかを把握するためのレイアウト見本、及びその配置された写真に関連する文章を記入する文章欄１２を設けた第２面及び第３面とから構成されている。管理番号１９は、製品種類、顧客、又は、注文を特定する固有の識別情報であって、数字、文字あるいはバーコード等によって読取機にて自動読取可能に表記されている。また、配置情報１８は、写真を挿入する位置や特定の配置個所を示す識別情報であって、数字、文字あるいはバーコード等によって表記されている。なお、配置情報１８は、管理番号１９内に併せて表記するようにしてもよい。
前記管理番号に含まれる製品種類に関する情報は、例えば誕生記念アルバム、新入学アルバム、結婚記念アルバム、ペットアルバムなどの製品種類や申し込みタイプを識別する情報であってもよい。
【００４５】
　図３は、本考案に係る記念本製作用の注文用紙の裏面を示す図である。注文用紙１０の２箇所に設けられている山折り線と谷折り線は、注文用紙１０の縦方向に９８ｍｍの間隔で設けられており、注文用紙１０の裏面の第４面（図２の符号４）第５面（図２の符号５）と、第６面（図２の符号６）との合計３面の境界を形成している。
【００４６】
　図３に示す注文用紙１０の裏面は、配置情報１８と、当該配置情報１８に従ってどの頁にどの写真を配置するのかを把握するためのレイアウト見本、及びその配置された写真に関連する文章を記入する文章欄１２を設けた第４面及び第５面と、顧客の住所、氏名等を記入する住所記入欄１６及び管理番号１９を表記した顧客用の控え１７を設けた第６面とから構成されている。
【００４７】
　図３に示すように、注文用紙１０の両面にそれぞれ表記した管理番号１９と同一の管理番号を表記した顧客用の控え１７は、第６面から顧客用控え１７の範囲のみを切り取り得るようにするための切り取り線（切り取り用のミシン目）を形成して構成されている。
【００４８】
　また、図２及び図３に示す注文用紙１０では、両面にそれそれ管理番号を表記してあるが、いずれかの１面にのみ管理番号１９を表記した注文用紙であってもよい。
【００４９】
　なお、図２及び図３に示す注文用紙１０は、注文用紙の機能と一体となった返信用封筒の機能として使用できる注文用紙であってもよい。
【００５０】
　図４は、写真貼付用シールの全体図である。
図４に示すように、写真貼付用シール２０は、記念本に必要な写真の枚数と同数のシール及び予備のシール2枚を有し、各シールの外縁部には個々のシールを分離し得るようにするための切り取り線（切り取り用のミシン目）又は抜き加工を形成して構成されている。
【００５１】
　図５は、写真貼付用シールから切り取った任意の一の写真貼付用シールを示す図である。写真貼付用シール２０から切り取り取った写真貼付用シール２２には、注文用紙に表記した配置情報１８及び管理番号１９と同一の配置情報１８及び管理番号１９が読取機にて自動読取可能に表記されている。また、任意の一の写真貼付用シールは、管理番号１９の読み取り部分２４と貼付部分２６とから構成されている。
同図に示すように、写真貼付用シールの貼付部分２６は、粘着面２７と剥離テープ２８を有している。
【００５２】
　図２、図３、図４及び図５、に示すように、記念本製作用の注文用紙と写真貼付用シールとの組合せでは、図２及び図３に示す記念本製作用の注文用紙１０と、図３、図４に示す写真貼付シール２０の両物品に、同一の管理番号１９であって、顧客よる注文から原稿の入力、写真製版、印刷、納品まですべて管理番号１９で管理することが可能な管理番号１９を予め付与している。
【００５３】
　図６は、本考案に係る写真保管袋を示す斜視図である。写真保管袋４０は、内容物の色彩や模様等を袋の外部に透過させることを可能とするために、視認性のあるポリエチレン、ポリプロピレン等をその材質に用いて、記念本に挿入する写真を保管するために入れておく保管部分４２と、保管した写真を封するのりしろ部分４４とから構成されている。のりしろ部分４４は、剥離テープ４８と、粘着面４６とから構成されている。
【００５４】
　図７は、本考案に係る申込み用封筒を示す斜視図である。
申し込み用封筒には、宛て先として記念本の製作者住所が予め記載されている。予め送付先を記載しておくことによって、利用者が送り先を記載する手間を省くとともに、誤記を防止することが可能となる。
また、申込み用封筒５０の表面又は裏面には、予め管理番号１９が表記されている。管理番号１９に製品種類に関する識別情報（例えば誕生記念アルバム、新入学アルバム、結婚記念アルバム、ペットアルバムなどの申し込みタイプ等）を、記号、数字、又はバーコード等で記載しておくことによって、開封することなく申し込みタイプを判断することが可能となるので、製作者側において受注の管理が容易となる。また、受注数量が多い場合には、封筒に記載された管理番号を自動で読み取って、申し込みタイプ別に封筒を自動で分別して後行程に流すことが可能となる。
【００５５】
　図９は、本考案に係る記念本製作用の注文用紙と写真貼付用シールの組合せによる注文の手順を示すフローチャートである。
同図に示すように、ステップＳ１００「製作者の処理」（以下Ｓ１００のように省略して記載する。）において製作者は、次のＳ１０１「管理番号の表記」の処理を実施して、記念本製作用の注文用紙１０、写真貼付用シール２０、及び封筒５０のそれぞれに同一の管理番号１９を予め表記する。これにより記念本の製作のための注文を受けた後において、製作者は、顧客間や注文間の取り違いを防止することができる。
【００５６】
　Ｓ１０２「店頭陳列」にて、製作者は、本考案に係る管理番号１９が表記された記念本製作用の注文用紙１０と写真貼付用シール２０と写真保管用袋４０との組合せを店頭に陳列する。また、S１０４「注文発送」にて、製作者は、注文者からの注文により注文者のもとへ本考案に係る記念本製作用の注文用紙１０と写真貼付用シール２０と写真保管用袋４０との組合せを発送するようにしてもよい。
【００５７】
　Ｓ２００「注文者の処理」において注文者は、次のＳ２０１「レイアウト見本を元に写真の選定」の処理を実施する。注文者は、図２に示す注文用紙１０の第１面に記載されている注文方法の手順等の内容を把握した上で、注文用紙１０の表面である第２面及び第３面と、図３に示す注文用紙１０の裏面にあたる第４面及び第５面とに記載されているレイアウト見本中に表記した配置情報１８の順番に従い、どの頁にどの写真を配置するのかを決定する。
【００５８】
　Ｓ２０２「写真貼付用シールの貼付」にて、注文者は、配置情報１８と管理番号１９を表記した写真貼付用シール２０のうちから、切り取り取った一枚の写真貼付用シール２２を、図８に示すように配置情報１８と管理番号１９が表記された読み取り部分２４を写真３０の画像面と同じ面になるように配置し、その粘着面２７の部分を写真３０の裏面に当て、貼付する。
【００５９】
　Ｓ２０３「文章の記入」にて、注文者は、図２及び図３に示す配置個所を決定した写真に関連する文章を文章欄１２に設けられたマス目に従って記入する。注文者は、注文用紙に記載したレイアウト見本の順番に従って配置する写真に関連した文章を作成することで、注文者の独創的なストーリー展開を反映した記念本を作成することが可能となる。全ての頁において、写真の配置とそれぞれの写真に関連した文章の記入が終了すると、注文者が実施する処理は、次のS２０４「注文者の住所、氏名等の記入」に進む。
【００６０】
　Ｓ２０４にて、注文者は、図３に示す記念本製作用の注文用紙１０の第６面の顧客の住所記入欄１６に、住所、氏名等を記入する。Ｓ２０５「顧客用控えの作成と保管」において、注文者は、管理番号１９を表記した顧客用控え１７の範囲を、切り取り線（切り取り用のミシン目）に従って同面から切り取って各自保管する。
【００６１】
　Ｓ２０６「指定写真と注文用紙の送付」にて、注文者は、図６に示す視認性のある透明な写真保管袋４０に、前記写真貼付用シール２０を貼り付けた写真を入れ、必要事項を記入した注文用紙１０とともに申込み用封筒５０に同封し、製作者に送付する。従って、製作者のもとに届けられた写真については、記念本製作中に内容物を確認する際や仕上り後に記念本を顧客に納品する際に、記念本の中の写真の人物やその表紙写真の人物等と返却写真の人物等との照合作業において、手間取ることなく顧客と顧客への返却写真と取り違い防止効果を奏する。
【００６２】
　図１０は、写真貼付用シールの第２の実施例を示す図である。
図１０に示すように、写真貼付用シール６０は、シール台紙６２に予め貼付されており、シール台紙６２には、記念本に必要な写真の枚数と同数の写真貼付用シール及び予備のシールの枚数貼付されている。各写真貼付用シール６０の裏面全体は、シール台紙６２から分離し得るとともに選定した写真の裏面へ貼付することができる粘着面６６を有している。
【００６３】
　写真貼付用シール６０表面には、注文用紙１０に表記した配置情報１８及び管理番号１９と同一の配置情報１８及び管理番号１９が表記されている。
【００６４】
　図１１は、注文者が選定した写真の裏面に写真貼付用シール６０を貼付した状態を示す図である。同図に示すように、写真を挿入する位置を特定した同一の位置情報１８と管理番号１９の表記した写真貼付用シール６０を写真の裏面に貼付することによって、製作者が顧客間同士の混同だけでなく、顧客の指定した写真が顧客の記念本のどの頁に配置するものであったのかという混同、指定された写真がどの顧客のどのタイプの記念本の注文であったのかという混同を未然に防止することが可能となり、簡単かつ迅速に記念本の製作を行うことが可能となる。
【００６５】
　図１２は、注文用紙１０に記載されている事項及び写真の情報を読み取って記念本を製作する記念本製作システムの構成を示す図である。
同図に示すように、記念本製作システムは、文字や画像を読み取って色や明るさ等について電子データに変換するスキャナ７０と、スキャナ７０が読み取った文字や画像の電子データを処理して文字情報や画像データに変換するとともに、記念本の編集処理と印刷指令を出力する記念本製作装置８０と、記念本製作装置８０の指令に基づいて記念本の各頁を印刷する印刷手段９０とから構成されている。
【００６６】
　図１３は、記念本製作システムを用いて注文者から受け取った注文用紙及び写真から記念本を製作する際の処理を示すフローチャートである。
先ず記念本の製作者はステップＳ３００「注文用紙の情報入力作業」にて、注文者から受け取った注文用紙１０をスキャナ７０に装着する。記念本製作装置８０はＳ４００「注文用紙スキャナ入力」にて、スキャナ７０に装着された注文用紙１０に予め表記された管理番号１９、注文者が記入した注文者の氏名、住所、文章原稿等の各種情報を、電子データとして記念本製作装置８０に読み込み、メモリ等の記録手段に一時記録する処理を行なう。
【００６７】
　次に製作者は、Ｓ３０２「原稿・文章ＯＣＲ読込指示」にて、記念本製作装置８０の記録手段に一時記憶されている注文者から受け取った注文用紙１０、原稿、文章を文字データ化するためのＯＣＲ（Optical Character Reader）の実行指示を入力する。
【００６８】
　Ｓ４０２「原稿・文章ＯＣＲ読み込み」にて記念本製作装置８０は、スキャナ７０から読み取った後、記念本製作装置８０の記録手段に一時記録されている管理番号１９、注文者氏名、注文者住所、文章原稿等の各種情報を、文字データや文章データに変換する処理を行なう。その処理結果を、ＬＣＤ等の表示手段に表示して、製作者による文字校正や文章校正指示又は確認指示を入力するようにしてもよい。
【００６９】
　各種情報の文字データ化や文章データ化が終了すると記念本製作装置８０は、ハードディスクその他の記録手段に設けられているデータベースに、注文用紙１０から読み取った管理番号１９相当の識別情報、注文者氏名、注文者住所、文章原稿等の各種情報をファイルとして記録する指示をデータベースに対して出力する。
【００７０】
　データベースは、Ｓ５０２「管理番号と関連付けて文章データを記録」にて、記念本製作手段８０から指示のあった情報を記録する処理を行なう。なお、データベースは記念本製作装置８０の内部に設けられていてもよいし、記念本製作装置８０と通信接続されている別の装置に設けても本考案の目的を達成することが可能である。
【００７１】
　記念本製作の注文に対して管理番号１９と、注文者氏名、注文者住所、文章原稿等の各種情報を関連付けて記録する方法として、管理番号１９毎にディレクトリを作成して、その下の階層に、注文者氏名、注文者住所、文章原稿等の各種情報を記載したファイルを記録するようにしてもよい。
【００７２】
　文章データや文字データの記録が終了すると、次にＳ３０４「写真０１〜ｎ入力作業」にて製作者は、注文者から受け取った、管理番号１９と配置情報１８とを表記した写真貼付用シール２２を貼付した写真をスキャナ７０に装着する。
【００７３】
　記念本製作装置８０はＳ２０４「写真０１〜ｎスキャナ入力、管理番号ＯＣＲ読み込み」にて、スキャナ７０に装着された写真を電子的な画像データとして記念本製作装置８０に読み込む処理を行なう。次に記念本製作装置８０では、読み込んだ写真の画像の中から管理番号１９と配置情報１８を表記した写真貼付用シール２２部分の画像を自動で切り出して、表記した管理番号１９と配置情報１８とを文字データに変換する処理を行なう。
【００７４】
　次に記念本製作装置８０では、読み込んだ写真の画像の中から管理番号１９と配置情報１８を表記した写真貼付用シール２２部分の画像を自動で削除する処理を行い、写真の画像の部分を切り出して所定の画像ファイルに変換する処理を行なう。そして、その画像ファイルのファイル名として、管理番号１９と配置情報１８とを含むファイル名を作成して、そのファイル名を付した画像データをデータベースに出力する処理を行なう。
【００７５】
　Ｓ５０４「管理番号と関連付けて画像データを記録」にてデータベースは、記念本製作手段８０から指示のあった画像データをデータベースに記録する処理を行なう。
【００７６】
　管理番号１９と配置情報１８とを関連付けて記録する方法として、前記文章原稿等のファイルと同様に、管理番号１９毎のディレクトリ内に配置情報１８を付したファイル名の画像ファイルを記録するようにしてもよい。
【００７７】
　図１４に、管理番号と注文者氏名、注文者住所、文章原稿、画像ファイル等の各種情報を関連付けて記録する実施例を示す。
【００７８】
　同図に示すように、記念本製作の注文の管理番号１９（例えばＮｏ．００００）毎にディレクトリを作成して、その下の階層にその管理番号１９と関連する注文者氏名ファイル、注文者住所ファイル（同図に示す例では nameaddress.TXT ）、文章原稿ファイル（同図に示す例では 01.RTF ）、画像ファイル（同図に示す例では 01.JPG ）等の各種情報を記録している。また、作成する記念本のレイアウト等のフォーマットを示す情報(同図に示す例では printform.INI )を併せて記録するようにしてもよい。
【００７９】
　注文用紙１０、文章原稿、写真等の各種の情報の入力が終了すると、Ｓ３０６「記念本編集」にて製作者は、管理番号１９とともに記念本の編集処理を記念本製作装置８０に指示する。
【００８０】
　製作者から記念本編集の指示を入力すると、記念本編集装置８０が実施する処理はＳ４０６「編集処理」に進み、データベースに対して製作者から入力した管理番号１９と関連付けて記録されている注文者氏名、注文者住所、文章原稿、画像データ、記念本のフォーマットに関する情報が記載れているファイルを読み出す指示を出力する。
【００８１】
　記念本製作装置８０から、管理番号１９と関連付けて記録されている各種ファイルの読み出し処理の指示を入力すると、データベースが実施する処理はＳ５０６「文章データ、画像データ、フォーマット情報読出し」に進み、指示されたファイルを読み出して、記念本製作装置８０に対して出力する。
【００８２】
　記念本製作装置８０は、データベースから読み出したフォーマット情報に基づいて、各頁毎に文章、画像のレイアウトを行なう。文章は、データベースから読み出した文章データを所定のフォントや配置する情報に置き換えて、所定の位置に張り付ける処理を行なう。また、画像は、データベースから読み出した画像データに対して画像ファイル特有の展開処理とリサイズ処理、色調の変換処理を行なった上で、所定の位置に張り付ける処理を行なう。編集処理が終了した場合には、ＬＣＤ等の表示手段に編集結果を表示して、オペレータに対してレイアウトの確認又は編集を乞うようにしてもよい。
【００８３】
　記念本編集の処理が終了すると、製作者はＳ３０８「印刷指示入力」にて記念本に使用する各頁の印刷を指示する。
記念本製作装置８０が製作者から印刷指示を入力すると、Ｓ４０８「印刷指示出力」にて、編集処理の結果得られた記念本の各頁を印刷用のデータに変換した後に、印刷手段９０に出力する処理を行なう。
【００８４】
　記念本製作装置８０から印刷用の情報を入力すると、印刷手段９０が実行する処理はＳ６００「印刷出力」に進み、記念本製作装置８０から取得した印刷指示に基づいて、所定の用紙に所定の部数の印刷を行なう。
【００８５】
　各頁の印刷が終了すると、必要に応じて表紙に対するコーティングその他の処理行なって製本の準備を行い、Ｓ３１０「製本」にて製本を行なう。次のＳ３１２「梱包」では、注文者から送付されてきた写真とともに、製作した記念本を梱包する処理を行なう。そして、Ｓ３１４「発送」にて、注文者に対して製作した記念本を発送する。
【図面の簡単な説明】
【００８６】
【図１】本考案に係る記念本製作用の注文用紙の一例を示す図である。
【図２】本考案に係る記念本製作用の注文用紙の表面を示す図である。
【図３】本考案に係る記念本製作用の注文用紙の裏面を示す図である。
【図４】本考案に係る写真貼付用シールの全体図である。
【図５】本考案に係る写真貼付用シールから切り取った任意の一のシールを示す図である。
【図６】本考案に係る写真保管袋を示す斜視図である。
【図７】本考案に係る申込み用封筒を示す斜視図である。
【図８】本考案に係る写真貼付用シールを写真の裏面に当て、貼付した状態を示す図である。
【図９】本考案に係る記念本製作用の注文用紙と写真貼付用シールの組合せによる注文の手順を示すフローチャートである。
【図１０】写真貼付用シールの第２の実施例を示す図である。
【図１１】注文者が選定した写真の裏面に写真貼付用シールを貼付した状態を示す図である。
【図１２】注文用紙に記載されている事項及び写真の情報を読み取って記念本を製作する記念本製作システムの構成を示す図である。
【図１３】記念本製作システムを用いて注文者から受け取った注文用紙及び写真から記念本を製作する際の処理を示すフローチャートである。
【図１４】管理番号と注文者氏名、注文者住所、文章原稿、画像ファイル等の各種情報を関連付けて記録する実施例を示す図である。
【符号の説明】
【００８７】
１…第１面
２…第２面
３…第３面
４…第４面
５…第５面
６…第６面
１０…注文用紙
１２…文章欄
１６…住所記入欄
１７…顧客用控え
１８…配置情報
１９…管理番号
２０…写真貼付用シール
２２…写真貼付用シール
２４…管理番号の読み取り部分
２６…貼付部分
２７…粘着面
２８…剥離テープ
３０…写真
４０…写真保管袋
４２…保管部分
４４…のりしろ部分
４６…粘着面
４８…剥離テープ
５０…封筒
６０…写真貼付用シール
６２…シール台紙
６４…写真貼付用シール
６６…粘着面
７０…スキャナ
８０…記念本製作装置
９０…印刷手段
【図１】
0003100461.tif 000003
【図２】
0003100461.tif 000004
【図３】
0003100461.tif 000005
【図４】
0003100461.tif 000006
【図５】
0003100461.tif 000007
【図６】
0003100461.tif 000008
【図７】
0003100461.tif 000009
【図８】
0003100461.tif 000010
【図９】
0003100461.tif 000011
【図１０】
0003100461.tif 000012
【図１１】
0003100461.tif 000013
【図１２】
0003100461.tif 000014
【図１３】
0003100461.tif 000015
【図１４】
0003100461.tif 000016